(57)【要約】【課題】  インターネットなどの通信ネットワークと別個の通信ネットワークを用いることなく、ブロードバンドルータなどのネットワーク装置の遠隔監視や遠隔制御をさらに確実に実行することができるネットワーク装置管理アダプタを提供する。【解決手段】  本発明に係るネットワーク装置管理アダプタ１００は、ＩＰ網に接続される第１送受信部１１１と、ルータ３０のネットワーク側ポート３０Ｌに接続される第２送受信部１２１と、第１送受信部１１１及び第２送受信部１２１が送受信する送受信情報を中継するとともに、当該送受信情報の内容を監視する主制御部１０５とを備え、主制御部１０５した場合、第１送受信部１１１を経由して、ルータ３０が故障していることを示す故障情報をＩＰ網に向けて送信する。【選択図】  図２
2007028576.tif 000002
【特許請求の範囲】
【請求項１】
通信ネットワークと、前記通信ネットワークを経由した通信を実行するネットワーク装置との間に設置されるネットワーク装置管理アダプタであって、
前記通信ネットワークに接続される第１送受信部と、
前記ネットワーク装置のネットワーク側ポートに接続される第２送受信部と、
前記第１送受信部及び前記第２送受信部が送受信する送受信情報を中継するとともに、前記送受信情報の内容を監視する中継通信制御部と
を備え、
前記中継通信制御部は、前記送受信情報の内容に基づいて、前記ネットワーク装置が故障していると判定した場合、前記第１送受信部を経由して、前記ネットワーク装置が故障していることを示す故障情報を前記通信ネットワークに向けて送信するネットワーク装置管理アダプタ。
【請求項２】
前記ネットワーク装置に供給されている電源の切断及び再投入を実行するネットワーク装置電源制御部をさらに備え、
前記中継通信制御部は、前記第１送受信部を経由して前記通信ネットワークから前記ネットワーク装置の再起動を指示する再起動指示を受信した場合、前記ネットワーク装置電源制御部による前記電源の切断及び再投入を実行する請求項１に記載のネットワーク装置管理アダプタ。
【請求項３】
前記ネットワーク装置の端末側ポートと接続される第３送受信部をさらに備え、
前記中継通信制御部は、前記第３送受信部を経由して、前記ネットワーク装置が稼動しているか否かを問い合わせる稼動問合せを前記ネットワーク装置に送信し、
前記中継通信制御部は、前記稼動問合せに対する前記ネットワーク装置からの応答の有無に基づいて、前記故障情報を送信する請求項１または２に記載のネットワーク装置管理アダプタ。
【請求項４】
前記ネットワーク装置の端末側ポートと接続される第３送受信部をさらに備え、
前記中継通信制御部は、前記第３送受信部を経由して、前記ネットワーク装置が稼動しているか否かを問い合わせる稼動問合せを前記ネットワーク装置に送信し、
前記中継通信制御部は、前記稼動問合せに対する前記ネットワーク装置からの応答の有無に基づいて、前記ネットワーク装置電源制御部による前記電源の切断及び再投入を実行する請求項２に記載のネットワーク装置管理アダプタ。
【請求項５】
前記稼動問合せの送信時刻、及び前記稼動問合せに対する前記ネットワーク装置からの応答の受信時刻を含むネットワーク装置稼動状況を記録する稼動状況記録部をさらに備え、
前記中継通信制御部は、前記第１送受信部を経由して、前記稼動状況記録部に記録されている前記ネットワーク装置稼動状況を前記通信ネットワークに向けて送信する請求項３または４に記載のネットワーク装置管理アダプタ。
【請求項６】
前記第１送受信部及び前記第２送受信部を経由せずに、前記通信ネットワークと前記ネットワーク側ポートとを直結するバイパス部をさらに備え、
前記中継通信制御部は、前記送受信情報の内容の監視が必要な場合のみ、前記第１送受信部及び前記第２送受信部を経由するように前記バイパス部を制御する請求項１乃至５の何れか一項に記載のネットワーク装置管理アダプタ。
【請求項７】
前記ネットワーク装置電源制御部は、蓄電池を有する無停電電源を含む請求項２乃至５の何れか一項に記載のネットワーク装置管理アダプタ。
【請求項８】
前記ネットワーク装置の端末側ポートと接続される第３送受信部と、
前記第２送受信部及び前記第３送受信部を経由して試験用データを送信し、前記ネットワーク装置の稼動状態を取得する状態取得部と
をさらに備え、
前記中継通信制御部は、前記状態取得部が取得した前記稼動状態を、前記通信ネットワークに向けて送信する請求項１に記載のネットワーク装置管理アダプタ。
【発明の詳細な説明】
【技術分野】
【０００１】
本発明は、通信ネットワークと、当該通信ネットワークを経由した通信を実行するネットワーク装置との間に設置されるネットワーク装置管理アダプタに関する。
【背景技術】
【０００２】
従来、いわゆるブロードバンドルータなどのネットワーク装置は、フリーズなどの故障、特に、インターネット側の接続ポートに関わる部分が故障すると、インターネット経由によるネットワーク装置の遠隔監視や遠隔制御（例えば、リセットコマンドの実行）が不可能になるという問題がある。
【０００３】
そこで、ブロードバンドルータ（以下、ルータと適宜省略する）などのネットワーク装置が故障した場合でも、ネットワーク装置の遠隔監視や遠隔制御を可能とするため、インターネットに加え、さらに別個の通信ネットワーク（例えば、無線通信ネットワーク）を用いて当該ネットワーク装置にアクセスできる経路を確保する方法が知られている（例えば、非特許文献１参照）。
【０００４】
ここで、図８は、このような方法によって構成された通信ネットワークの構成の一例を示している。図８に示すように、インターネットを含むＩＰ網１０に接続するために用いられるブロードバンドルータであるルータ３０には、ＰＣ４０及びＩＰ電話機５０が接続されている。
【０００５】
ルータ３０は、ＯＮＵ２０（ｘＤＳＬモデムでもよい）を介してＩＰ網１０に接続される。さらに、ルータ３０には、無線回線インターフェース６０が接続されている。無線回線インターフェース６０は、無線基地局装置７０との間において無線による通信（例えば、ＩＥＥＥ８０２．１１などの無線ＬＡＮ方式）を実行することができる。
【０００６】
ＰＣ８０は、ＩＰ網１０及び無線基地局装置７０を経由して、ルータ３０（及びＰＣ４０、ＩＰ電話機５０）と通信を実行することができる。ＰＣ８０は、ルータ３０が正常に稼動している場合、ＩＰ網１０を経由してルータ３０の遠隔制御を実行する。
【０００７】
一方、フリーズなど、ルータ３０が故障し、ＩＰ網１０経由によるルータ３０の遠隔制御が不可能な場合、無線基地局装置７０経由によるルータ３０の遠隔制御、具体的には、ルータ３０の再起動（リセット）などを実行する。
【非特許文献１】“ルータ等の管理  リモートコントロール管理装置”、［online］、［平成１７年５月２７日検索］、インターネット＜http://www.ups-sol.com/sp-netmoni.html＞
【発明の開示】
【発明が解決しようとする課題】
【０００８】
しかしながら、上述した従来の方法では、通信ネットワークの構成が複雑になる。また、インターネットに加え、さらに別個の通信ネットワーク（無線通信ネットワーク）を用いなければならないため、当該通信ネットワークに関するコスト（当該通信ネットワークの導入や運用に関するコスト）が発生するといった問題があった。
【０００９】
そこで、本発明は、以上の点に鑑みてなされたもので、インターネットなどの通信ネットワークと別個の通信ネットワークを用いることなく、ブロードバンドルータなどのネットワーク装置の遠隔監視や遠隔制御をさらに確実に実行することができるネットワーク装置管理アダプタを提供することを目的とする。
【課題を解決するための手段】
【００１０】
上述した課題を解決するため、本発明は、次のような特徴を有している。まず、本発明の第１の特徴は、通信ネットワーク（ＩＰ網１０）と、前記通信ネットワークを経由した通信を実行するネットワーク装置（ルータ３０）との間に設置されるネットワーク装置管理アダプタ（ネットワーク装置管理アダプタ１００）であって、前記通信ネットワークに接続される第１送受信部（通信ＩＦ部１０１及び第１送受信部１１１）と、前記ネットワーク装置のネットワーク側ポート（ネットワーク側ポート３０Ｌ）に接続される第２送受信部（通信ＩＦ部１０２及び第２送受信部１２１）と、前記第１送受信部及び前記第２送受信部が送受信する送受信情報を中継するとともに、前記送受信情報の内容を監視する中継通信制御部（主制御部１０５）とを備え、前記中継通信制御部は、前記送受信情報の内容に基づいて、前記ネットワーク装置が故障していると判定した場合、前記第１送受信部を経由して、前記ネットワーク装置が故障していることを示す故障情報を前記通信ネットワークに向けて送信することを要旨とする。
【００１１】
このような特徴によれば、インターネットなどの通信ネットワークと接続される第１送受信部、及びブロードバンドルータなどのネットワーク装置と接続される第２送受信部が別個独立して設けられ、第１送受信部のみを経由して、ネットワーク装置が故障していることが、当該通信ネットワークに接続されている特定の装置（例えば、特定のＰＣ）に通知される。
【００１２】
このため、ネットワーク装置が故障している場合でも、第１送受信部を経由してネットワーク装置が故障していることを通知することができる。すなわち、このような特徴によれば、インターネットなどの通信ネットワークと別個の通信ネットワークを用いることなく、ブロードバンドルータなどのネットワーク装置の遠隔監視や遠隔制御をさらに確実に実行することができる。
【００１３】
本発明の第２の特徴は、本発明の第１または第２の特徴に係り、前記ネットワーク装置に供給されている電源の切断及び再投入を実行するネットワーク装置電源制御部（電源制御部１５０）をさらに備え、前記中継通信制御部は、前記第１送受信部を経由して前記通信ネットワークから前記ネットワーク装置の再起動を指示する再起動指示（例えば、リセットコマンド）を受信した場合、前記ネットワーク装置電源制御部による前記電源の切断及び再投入を実行することを要旨とする。
【００１４】
本発明の第３の特徴は、本発明の第１の特徴に係り、前記ネットワーク装置の端末側ポート（端末側ポート３０Ｄ）と接続される第３送受信部（通信ＩＦ部１０３及び第３送受信部１３１）をさらに備え、前記中継通信制御部は、前記第３送受信部を経由して、前記ネットワーク装置が稼動しているか否かを問い合わせる稼動問合せ（例えば、ｐｉｎｇコマンド）を前記ネットワーク装置に送信し、前記中継通信制御部は、前記稼動問合せに対する前記ネットワーク装置からの応答の有無に基づいて、前記故障情報を送信することを要旨とする。
【００１５】
本発明の第４の特徴は、本発明の第２の特徴に係り、前記ネットワーク装置の端末側ポート（端末側ポート３０Ｄ）と接続される第３送受信部（第３送受信部１３１）をさらに備え、前記中継通信制御部は、前記第３送受信部を経由して、前記ネットワーク装置が稼動しているか否かを問い合わせる稼動問合せ（例えば、ｐｉｎｇコマンド）を前記ネットワーク装置に送信し、前記中継通信制御部は、前記稼動問合せに対する前記ネットワーク装置からの応答の有無に基づいて、前記ネットワーク装置電源制御部による前記電源の切断及び再投入を実行することを要旨とする。
【００１６】
本発明の第５の特徴は、本発明の第３または第４の特徴に係り、前記稼動問合せの送信時刻、及び前記稼動問合せに対する前記ネットワーク装置からの応答の受信時刻を含むネットワーク装置稼動状況を記録する稼動状況記録部（情報記録部１７０）をさらに備え、前記中継通信制御部は、前記第１送受信部を経由して、前記稼動状況記録部に記録されている前記ネットワーク装置稼動状況を前記通信ネットワークに向けて送信することを要旨とする。
【００１７】
本発明の第６の特徴は、本発明の第１乃至第５の特徴に係り、前記第１送受信部及び前記第２送受信部を経由せずに、前記通信ネットワークと前記ネットワーク側ポートとを直結するバイパス部（バイパス部１１５）をさらに備え、前記中継通信制御部は、前記送受信情報の内容の監視が必要な場合のみ、前記第１送受信部及び前記第２送受信部を経由するように前記バイパス部を制御することを要旨とする。
【００１８】
本発明の第７の特徴は、本発明の第２乃至第５の特徴に係り、前記ネットワーク装置電源制御部は、蓄電池を有する無停電電源を含むことを要旨とする。
【００１９】
本発明の第８の特徴は、本発明の第１の特徴に係り、前記ネットワーク装置の端末側ポート（端末側ポート３０Ｄ）と接続される第３送受信部（第３送受信部１３１）と、前記第２送受信部及び前記第３送受信部を経由して試験用データを送信し、前記ネットワーク装置の稼動状態を取得する状態取得部（自動解析部１９１及び遠隔解析部１９２）とをさらに備え、前記中継通信制御部は、前記状態取得部が取得した前記稼動状態を、前記通信ネットワークに向けて送信することを要旨とする。
【発明の効果】
【００２０】
本発明の特徴によれば、インターネットなどの通信ネットワークと別個の通信ネットワークを用いることなく、ブロードバンドルータなどのネットワーク装置の遠隔監視や遠隔制御をさらに確実に実行することができるネットワーク装置管理アダプタを提供することができる。
【発明を実施するための最良の形態】
【００２１】
（ネットワーク装置管理アダプタを含む通信ネットワークの全体概略構成）
本発明の実施形態について図面を参照しながら説明する。図１は、本実施形態に係るネットワーク装置管理アダプタを含む通信ネットワークの全体概略構成図である。
【００２２】
ＩＰ網１０は、インターネットを含むＴＣＰ／ＩＰをベースとした通信ネットワークである。ＩＰ網１０には、ＩＰ網１０への光ファイバーアクセス回線を終端するＯＮＵ２０を介して、ネットワーク装置管理アダプタ１００が接続されている。なお、ＩＰ網１０には、必ずしもインターネットが含まれていなくてもよい。また、ＯＮＵ２０に代えて、ｘＤＳＬモデムを用いてもよい。
【００２３】
ネットワーク装置管理アダプタ１００には、ＩＰ網１０との接続に用いられるブロードバンドルータであるルータ３０（ネットワーク装置）が接続されている。また、ルータ３０には、ＰＣ４０及びＩＰ電話機５０が接続されている。すなわち、ネットワーク装置管理アダプタ１００は、ＩＰ網１０（ＯＮＵ２０）と、ＩＰ網１０を経由した通信を実行するルータ３０（及びＰＣ４０、ＩＰ電話機５０）との間に設置されている。
【００２４】
ネットワーク装置管理アダプタ１００は、ルータ３０が正常に稼動しているか否か、例えば、フリーズなどの故障の有無を判定することができる。また、ネットワーク装置管理アダプタ１００は、ルータ３０が正常に稼動していない場合、ルータ３０に電源リセット指示を送信することによってルータ３０のリセットを実行させたり、ルータ３０に故障していることを示す故障情報をＰＣ８０に送信したりすることができる。
【００２５】
（ネットワーク装置管理アダプタの論理ブロック構成）
次に、ネットワーク装置管理アダプタ１００の論理ブロック構成について説明する。
【００２６】
（１）各論理ブロックの機能
図２に示すように、ネットワーク装置管理アダプタ１００は、他の装置との接続インターフェースとして、ＯＮＵ２０と接続される通信ＩＦ部１０１を備えている。また、ネットワーク装置管理アダプタ１００は、ルータ３０のネットワーク側ポート３０Ｌと接続される通信ＩＦ部１０２、及びルータ３０の端末側ポート３０Ｄと接続される通信ＩＦ部１０３を備えている。
【００２７】
具体的には、通信ＩＦ部１０１〜１０３は、１０ＢＡＳＥ−Ｔや１００ＢＡＳＥ−ＴＸなどのＥｔｈｅｒｎｅｔ（登録商標）によるＬＡＮインターフェースによって構成されている。
【００２８】
さらに、ネットワーク装置管理アダプタ１００は、ルータ３０の電源プラグ（不図示）が接続される電源接続部１０４を備えている。
【００２９】
通信ＩＦ部１０１には、第１送受信部１１１が接続されている。本実施形態では、通信ＩＦ部１０１と第１送受信部１１１とによって、ＩＰ網１０に接続される第１送受信部が構成される。また、第１送受信部１１１には、送受信情報フレーム組立部１１２が接続されている。
【００３０】
一方、通信ＩＦ部１０２には、第２送受信部１２１が接続されている。本実施形態では、通信ＩＦ部１０２と第２送受信部１２１とによって、ルータ３０のネットワーク側ポート３０Ｌに接続される第２送受信部が構成される。また、第２送受信部１２１には、送受信情報フレーム組立部１２２が接続されている。
【００３１】
第１送受信部１１１は、ルータ３０（及びＰＣ４０、ＩＰ電話機５０）が送受信する送受信情報を含むＩＰパケット、具体的には、送受信情報フレーム組立部１１２によって組み立てられたＰＰＰｏＥ（PPP over Ethernet（登録商標））フレームを送受信する。
【００３２】
ここで、図３は、ＯＮＵ２０、ネットワーク装置管理アダプタ１００及びルータ３０におけるプロトコルスタックを示している。図３に示すように、送受信情報フレーム組立部１１２によって組み立てられたＰＰＰｏＥフレームには、ルータ３０（及びＰＣ４０、ＩＰ電話機５０）が送受信するＩＰパケットが含まれている。
【００３３】
同様に、第２送受信部１２１は、送受信情報フレーム組立部１２２によって組み立てられたＰＰＰｏＥフレームを送受信する。
【００３４】
また、上述した送受信情報フレーム組立部１１２，１２２は、主制御部１０５に接続されている。送受信情報フレーム組立部１１２，１２２は、受信したＰＰＰｏＥフレームを分解し、ＩＰパケットとして主制御部１０５に出力する。
【００３５】
主制御部１０５は、第１送受信部１１１及び第２送受信部１２１が送受信する送受信情報（ＩＰパケット）を中継するとともに、当該送受信情報の内容を監視する。なお、主制御部１０５の具体的な機能については、後述する。
【００３６】
通信ＩＦ部１０３には、第３送受信部１３１が接続されている。本実施形態では、通信ＩＦ部１０３と第３送受信部１３１とによって、ルータ３０の端末側ポート３０Ｄと接続される第３送受信部が構成される。また、第３送受信部１３１には、送受信情報フレーム組立部１３２が接続されている。さらに、送受信情報フレーム組立部１３２には、コマンド送信・応答受信部１３３が接続されている。
【００３７】
コマンド送信・応答受信部１３３は、主制御部１０５による指示に基づいて、ルータ３０に各種コマンド、例えば、ｐｉｎｇコマンド（稼動問合せ）を送信したり、ルータ３０からの応答を受信したりする。
【００３８】
送受信情報フレーム組立部１３２は、コマンド送信・応答受信部１３３が送信するコマンドを含むＰＰＰｏＥフレームを組み立てたり、ルータ３０からの応答を含むＰＰＰｏＥフレームを分解したりする。
【００３９】
第３送受信部１３１は、送受信情報フレーム組立部１３２によって組み立てられたＰＰＰｏＥフレームを送受信する。
【００４０】
外部ＩＦ制御部１４０は、ルータ３０の外部インターフェース（不図示）と接続される。具体的には、外部ＩＦ制御部１４０は、シリアルインターフェース（例えば、ＲＳ−２３２Ｃ）を有し、当該シリアルインターフェースの条件にしたがった信号を送受信することができる。なお、外部ＩＦ制御部１４０は、ルータ３０の構成に応じて、シリアルインターフェースではなく、他のインターフェース（例えば、ＵＳＢ）を用いてもよい。
【００４１】
電源制御部１５０は、主制御部１０５と接続されており、主制御部１０５による指示に基づいて、ルータ３０に供給されている電源の切断及び再投入（電源リセット）を実行する。具体的には、電源制御部１５０は、電源接続部１０４に供給される電源を切断し、切断後速やかに電源を再投入する。
【００４２】
時計部１６０は、主制御部１０５による指示に基づいて、時刻情報を主制御部１０５に提供する。具体的には、時計部１６０は、主制御部１０５による指示に基づいて、ルータ３０への各種コマンド（例えば、ｐｉｎｇコマンド）の送信時刻や、ルータ３０から応答の受信時刻を示す時刻情報を主制御部１０５に提供する。
【００４３】
情報記録部１７０は、ｐｉｎｇコマンド（稼動問合せ）の送信時刻、及びｐｉｎｇコマンドに対するルータ３０からの応答の受信時刻を含むネットワーク装置稼動状況を記録する。
【００４４】
制御情報格納部１８０は、主制御部１０５が接続されている各論理ブロックの制御に用いられる制御情報を格納する。
【００４５】
（２）主制御部の機能
次に、主制御部１０５の具体的な機能について説明する。主制御部１０５は、第１送受信部１１１及び第２送受信部１２１において送受信されるＰＰＰｏＥフレーム（ＩＰパケット）に含まれている送受信情報の内容に基づいて、ルータ３０が故障していると判定した場合、第１送受信部１１１を経由して、ルータ３０が故障していることを示す故障情報をＩＰ網１０に向けて送信する。
【００４６】
具体的には、主制御部１０５は、ルータ３０が送信するＰＰＰｏＥフレームが所定の時間検出されない場合や、ルータ３０のネットワーク側ポート３０Ｌに割り当てられているＩＰアドレスに基づいて、ルータ３０が送信するＩＰパケットが所定の時間検出されない場合、ルータ３０が故障していると判定する。
【００４７】
ルータ３０が故障していると判定した主制御部１０５は、ルータ３０が故障していることを示す故障情報をＩＰ網１０に接続されているＰＣ８０に送信する。
【００４８】
また、主制御部１０５は、第１送受信部１１１を経由してＩＰ網１０からルータ３０の再起動を指示するリセットコマンド（再起動指示）を受信した場合、電源制御部１５０に、ルータ３０に供給されている電源の切断及び再投入（電源リセット）を実行させることができる。
【００４９】
さらに、主制御部１０５は、第３送受信部１３１を経由して、ルータ３０が稼動しているか否かを問い合わせるｐｉｎｇコマンド（稼動問合せ）をルータ３０に送信（例えば、所定の周期で）することができる。主制御部１０５は、ｐｉｎｇコマンドに対するルータ３０からの応答の有無に基づいて、故障情報を送信する。なお、ルータ３０が稼動しているか否かを問い合わせる方法は、必ずしもｐｉｎｇコマンドでなくてもよく、ｔｅｌｎｅｔなどを用いてもよい。
【００５０】
また、主制御部１０５は、ｐｉｎｇコマンドに対するルータ３０からの応答の有無に基づいて、電源制御部１５０に、ルータ３０に供給されている電源の切断及び再投入（電源リセット）を実行させることができる。
【００５１】
また、主制御部１０５は、第１送受信部１１１を経由して、情報記録部１７０に記録されているネットワーク装置稼動状況をＩＰ網１０に向けて、具体的には、ＰＣ８０に送信することができる。
【００５２】
（ネットワーク装置管理アダプタの動作）
次に、図４及び図５を参照して、ネットワーク装置管理アダプタ１００の動作について説明する。
【００５３】
（１）ネットワーク装置の故障判定及び故障の通知
図４は、ネットワーク装置管理アダプタ１００が、ルータ３０（ネットワーク装置）の故障を判定し、ルータ３０が故障していることを示す故障情報をＰＣ８０に通知するフローを示している。
【００５４】
図４に示すように、ステップＳ１０において、ネットワーク装置管理アダプタ１００は、第１送受信部１１１及び第２送受信部１２１を経由して送受信されるＩＰパケットを監視する。
【００５５】
ステップＳ２０において、ネットワーク装置管理アダプタ１００は、所定期間内にルータ３０が送信したＩＰパケットがあるか否かを判定する。
【００５６】
所定期間内にルータ３０が送信したＩＰパケットがない場合（ステップＳ２０のＮＯ）、ステップＳ３０において、ネットワーク装置管理アダプタ１００は、第３送受信部１３１を経由して、ルータ３０にコマンド（ｐｉｎｇコマンド）を送信する。
【００５７】
一方、所定期間内にルータ３０が送信したＩＰパケットがある場合（ステップＳ２０のＹＥＳ）、ネットワーク装置管理アダプタ１００は、ステップＳ１０の処理を繰り返す。
【００５８】
ステップＳ４０において、ネットワーク装置管理アダプタ１００は、ステップＳ３０において送信したコマンドに対するルータ３０からの応答を受信したか否かを判定する。
【００５９】
ルータ３０からの応答を受信できない場合（ステップＳ４０のＹＥＳ）、ステップＳ５０において、ネットワーク装置管理アダプタ１００は、ルータ３０が故障していると判定し、第１送受信部１１１を経由して、ルータ３０が故障していることを示す故障情報をＰＣ８０に送信する。
【００６０】
一方、ルータ３０からの応答を受信した場合（ステップＳ２０のＹＥＳ）、ネットワーク装置管理アダプタ１００は、ステップＳ１０の処理を繰り返す。
【００６１】
なお、図４に示したフローでは、所定期間内にルータ３０が送信したＩＰパケットがない場合（ステップＳ２０のＮＯ）、ルータ３０にコマンド（ｐｉｎｇコマンド）を送信し、当該コマンドに対するルータ３０からの応答を受信できない場合（ステップＳ４０のＮＯ）、ルータ３０が故障と判定しているが、次のように変更してもよい。
【００６２】
すなわち、所定期間内にルータ３０が送信したＩＰパケットがないと判定された場合、または当該コマンドに対するルータ３０からの応答を受信できない場合の何れかの場合、ルータ３０が故障していると判定してもよい。さらに、当該何れかの場合、ルータ３０の電源リセットを実行してもよい。
【００６３】
（２）ネットワーク装置の電源リセット
図５は、ネットワーク装置管理アダプタ１００が、ルータ３０の電源リセットを実行するフローを示している。
【００６４】
図５に示すように、ステップＳ１１０において、ネットワーク装置管理アダプタ１００は、第１送受信部１１１を経由して、ＰＣ８０からリセットコマンド（再起動指示）を受信したか否かを判定する。
【００６５】
ＰＣ８０からリセットコマンドを受信した場合（ステップＳ１１０のＹＥＳ）、ステップＳ１２０において、ネットワーク装置管理アダプタ１００は、ルータ３０の電源リセットを実行、具体的には、電源接続部１０４に供給される電源を切断し、切断後速やかに電源を再投入する。
【００６６】
なお、ネットワーク装置管理アダプタ１００は、電源接続部１０４に供給される電源を切断し、切断後速やかに電源を再投入することに代えて、外部ＩＦ制御部１４０（シリアルインターフェース）を介してルータ３０に電源リセット指示を送信してもよい。
【００６７】
（作用・効果）
以上説明した本実施形態に係るネットワーク装置管理アダプタ１００によれば、インターネットを含むＩＰ網１０と接続される第１送受信部１１１、及びルータ３０と接続される第２送受信部１２１が別個独立して設けられ、第１送受信部１１１のみを経由して、ルータ３０が故障していることが、ＩＰ網１０に接続されているＰＣ８０に通知される。
【００６８】
このため、ルータ３０が故障している場合でも、第１送受信部１１１を経由してルータ３０が故障していることをＰＣ８０に通知することができる。すなわち、ネットワーク装置管理アダプタ１００によれば、ＩＰ網１０と別個の通信ネットワーク（例えば、無線通信ネットワーク）を用いることなく、ルータ３０などのネットワーク装置の遠隔監視や遠隔制御をさらに確実に実行することができる。
【００６９】
ネットワーク装置管理アダプタ１００によれば、第１送受信部１１１を経由してＩＰ網１０からルータ３０のリセットコマンド（再起動指示）を受信した場合、ルータ３０の電源リセットが実行される。このため、フリーズなど、ルータ３０が故障した場合でも、ＩＰ網１０を経由してルータ３０の遠隔制御（リセット）を確実に実行することができる。
【００７０】
ネットワーク装置管理アダプタ１００によれば、第３送受信部１３１を経由して、ルータ３０が稼動しているか否かを問い合わせるｐｉｎｇコマンド（稼動問合せ）がルータ３０に送信されるため、ルータ３０が故障せずに正常に稼働しているか否かをより確実に判定することができる。
【００７１】
ネットワーク装置管理アダプタ１００によれば、第１送受信部１１１を経由して、情報記録部１７０に記録されているネットワーク装置稼動状況をＩＰ網１０に接続されているＰＣ８０に送信することができるため、ルータ３０の稼働状況を容易かつ確実に把握することができる。
【００７２】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００７３】
（１）変更例１
例えば、上述したネットワーク装置管理アダプタ１００は、図６のように変更してもよい。図６は、本変更例に係るネットワーク装置管理アダプタ１００Ａの論理ブロック構成図である。以下、上述したネットワーク装置管理アダプタ１００と異なる部分について、主に説明する。
【００７４】
図６に示すように、ネットワーク装置管理アダプタ１００Ａでは、ネットワーク装置管理アダプタ１００に設けられていた通信ＩＦ部１０３、第３送受信部１３１、送受信情報フレーム組立部１３２及びコマンド送信・応答受信部１３３が具備されていない。
【００７５】
このように、通信ＩＦ部１０３、第３送受信部１３１、送受信情報フレーム組立部１３２及びコマンド送信・応答受信部１３３が具備されていない場合でも、ネットワーク装置管理アダプタ１００Ａは、外部ＩＦ制御部１４０を介してルータ３０の遠隔監視や遠隔制御を実行することができる。
【００７６】
また、外部ＩＦ制御部１４０を介してルータ３０の電源リセット（再起動指示）が実行できる場合、電源接続部１０４及び電源制御部１５０は、必ずしも具備しなくても構わない。
【００７７】
さらに、上述した本発明の実施形態では、外部ＩＦ制御部１４０がルータ３０に接続される形態としたが、外部ＩＦ制御部１４０は、ルータ３０以外の他の装置に接続してもよい。外部ＩＦ制御部１４０を他の装置と接続することによって、ネットワーク装置管理アダプタ１００から送信されるＩＰ網１０の状態を示す情報を他の装置において監視させたり、当該情報に基づいてＩＰ網１０以外のバックアップ用の通信ネットワークへの切替を実行させたりすることができる。
【００７８】
さらに、上述した本発明の実施形態では、図３に示したように、ＰＰＰｏＥを用いる形態としたが、ＰＰＰｏＥに代えて、ＰＰＰｏＡ（ppp over ATM）などを用いることもできる。
【００７９】
（２）変更例２
上述したネットワーク装置管理アダプタ１００は、さらに、図７のように変更してもよい。図７は、本変更例に係るネットワーク装置管理アダプタ１００Ｂの論理ブロック構成図である。以下、上述したネットワーク装置管理アダプタ１００と異なる部分について、主に説明する。
【００８０】
図７に示すように、ネットワーク装置管理アダプタ１００Ｂには、ネットワーク装置管理アダプタ１００と比較すると、バイパス部１１５、自動解析部１９１及び遠隔解析部１９２が追加されている。
【００８１】
バイパス部１１５は、第１送受信部１１１及び第２送受信部１２１を経由せずに、ＯＮＵ２０（ＩＰ網１０）とルータ３０のネットワーク側ポート３０ＬとをＨＵＢ１１６を介して直結することができる。
【００８２】
また、本変更例に係る主制御部１０５は、ルータ３０が送受信する送受信情報の内容の監視が必要な場合のみ、第１送受信部１１１及び第２送受信部１２１を経由するようにバイパス部１１５を制御する。
【００８３】
つまり、ネットワーク装置管理アダプタ１００Ｂでは、第１送受信部１１１及び第２送受信部１２１を経由しない“バイパス”状態がデフォルト状態として設定され、ルータ３０が送受信する送受信情報は、第１送受信部１１１及び第２送受信部１２１を経由せずに中継される。
【００８４】
主制御部１０５は、必要最低限の情報やタイミングに限って、ルータ３０が送受信する送受信情報の内容を監視する。
【００８５】
また、主制御部１０５は、バイパス状態においてもルータ３０が送受信する送受信情報の量については監視し、当該送受信情報の量が所定の閾値以下のときに、ネットワーク装置稼動状況などをＩＰ網１０に向けて、具体的には、ＰＣ８０（図１参照）に送信することができる。なお、主制御部１０５は、当該送受信情報よりも優先して送信すべき情報（例えば、ネットワーク装置管理アダプタ１００Ｂに関する警報など）が発生した場合、上述した閾値にかかわらず、当該情報をＩＰ網１０に向けて送信することもできる。
【００８６】
自動解析部１９１は、第２送受信部１２１及び第３送受信部１３１を経由して試験用データを送信し、ルータ３０の稼動状態を取得する。
【００８７】
具体的には、自動解析部１９１は、試験用データとして、ｐｉｎｇコマンドなどを送信し、ルータ３０の動作状態（例えば、応答時間やパケット損失率）や動作モード（例えば、ルータ３０に正しくＩＰアドレスが割り当てられているか）を取得する。自動解析部１９１は、当該動作状態や動作モードを、自動的に（例えば、所定の周期ごとや、ネットワーク装置管理アダプタ１００Ｂの電源投入時）取得する。
【００８８】
遠隔解析部１９２は、自動解析部１９１と同様に、試験用データを送信し、ルータ３０の動作状態や動作モードを取得する。遠隔解析部１９２は、第１送受信部１１１が受信したネットワーク装置管理アダプタ１００Ｂに対するコマンド、具体的には、ＩＰ網１０に接続されているＰＣ８０から受信したコマンドに基づいて、ルータ３０に試験用データを送信する。つまり、遠隔解析部１９２は、ＰＣ８０からの遠隔制御に基づいて動作する。
【００８９】
主制御部１０５は、自動解析部１９１及び遠隔解析部１９２が取得したルータ３０の動作状態や動作モード（稼動状態）を、ＩＰ網１０に向けて送信する。
【００９０】
また、電源制御部１５０Ｂは、蓄電池を有する無停電電源（ＵＰＳ）を含み、ネットワーク装置管理アダプタ１００Ｂに供給される商用電源が停止したり、瞬間的な電源断が発生したりした場合でも、ネットワーク装置管理アダプタ１００Ｂ本体、及びネットワーク装置管理アダプタ１００Ｂを介して電源が供給されるルータ３０（及びＰＣ４０やＩＰ電話機５０）を保護する。
【００９１】
ネットワーク装置管理アダプタ１００Ｂによれば、第１送受信部１１１及び第２送受信部１２１を経由しない“バイパス”状態がデフォルト状態として設定されるため、ＯＮＵ２０とルータ３０との間において送受信される送受信情報のスループット（伝送速度）が上昇した場合（例えば、ＩＰ網１０〜ＯＮＵ２０間のアクセス回線速度の向上）でも、ネットワーク装置管理アダプタ１００Ｂの処理性能を必ずしも向上させる必要がない。
【００９２】
つまり、送受信情報のスループットが上昇してもネットワーク装置管理アダプタ１００Ｂの処理性能の限界によって当該スループットが低下してしまうことを防止できる。また、ネットワーク装置管理アダプタ１００Ｂの処理性能を向上する必要がないため、ネットワーク装置管理アダプタ１００Ｂの製造コストを抑制でき、ユーザへの普及がさらに容易となる。
【００９３】
また、ネットワーク装置管理アダプタ１００Ｂによれば、電源制御部１５０Ｂが無停電電源を含むため、電源断によってルータ３０などが動作不能となったり、再起動が発生したりすることを回避できる。
【００９４】
さらに、ネットワーク装置管理アダプタ１００Ｂによれば、ルータ３０の動作状態や動作モードを取得することができるため、ルータ３０の動作モードなどがユーザごとに異なっている場合でも、当該動作モードに応じた適切なコマンドのルータ３０への送信などを実行することができる。また、ユーザが不適切な動作モードを設定している場合、当該ユーザに対して、動作モードの変更などを指示することができる。
【００９５】
以上、本発明の変更例について説明したが、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９６】
【図１】本発明の実施形態に係るネットワーク装置管理アダプタを含む通信ネットワークの全体概略構成図である。
【図２】本発明の実施形態に係るネットワーク装置管理アダプタの論理ブロック構成図である。
【図３】本発明の実施形態に係るＯＮＵ、ネットワーク装置管理アダプタ及びルータ（ネットワーク装置）におけるプロトコルスタックを示す図である。
【図４】本発明の実施形態に係るネットワーク装置管理アダプタの動作フロー図である。
【図５】本発明の実施形態に係るネットワーク装置管理アダプタの動作フロー図である。
【図６】本発明の変更例に係るネットワーク装置管理アダプタの論理ブロック構成図である。
【図７】本発明の変更例に係るネットワーク装置管理アダプタの論理ブロック構成図である。
【図８】従来のネットワーク装置を含む通信ネットワークの全体概略構成図である。
【符号の説明】
【００９７】
１０…ＩＰ網、２０…ＯＮＵ、３０…ルータ、３０Ｄ…端末側ポート、３０Ｌ…ネットワーク側ポート、４０…ＰＣ、５０…ＩＰ電話機、６０…無線回線インターフェース、７０…無線基地局装置、８０…ＰＣ、１００，１００Ａ…ネットワーク装置管理アダプタ、１０１〜１０３…通信ＩＦ部、１０４…電源接続部、１０５…主制御部、１１１…第１送受信部、１１２…送受信情報フレーム組立部、１１５…バイパス部、１１６…ＨＵＢ、１２１…第２送受信部、１２２…送受信情報フレーム組立部、１３１…第３送受信部、１３２…送受信情報フレーム組立部、１３３…コマンド送信・応答受信部、１４０…外部ＩＦ制御部、１５０，１５０Ｂ…電源制御部、１６０…時計部、１７０…情報記録部、１８０…制御情報格納部
【図１】
2007028576.tif 000003
【図２】
2007028576.tif 000004
【図３】
2007028576.tif 000005
【図４】
2007028576.tif 000006
【図５】
2007028576.tif 000007
【図６】
2007028576.tif 000008
【図７】
2007028576.tif 000009
【図８】
2007028576.tif 000010